(57)【要約】【課題】使用周波数が異なる２つのアンテナが実装される移動体通信機器に用いられるアンテナ構造の利得調整方法およびそのアンテナ構造において、一方のアンテナが他方のアンテナに与える影響を少なくする方法またはアンテナ構造を提供し、アンテナの設計を簡単にする。【解決手段】４００ＭＨｚ以上のそれぞれ異なる２つのアンテナが、その内一方の使用周波数の低い方の波長より短い距離で配置されたアンテナ構造について、一方のアンテナ１に接続された伝送線路１０の他方のアンテナ２の信号が侵入できる部分の長さＬ１を変えることによって、一方のアンテナ１に対する伝送線路１０の特性インピーダンスを変化させることなく他方のアンテナ２の利得を調整する調整方法、およびアンテナ構造とする。【選択図】　図１
2004096303.tif 000002
【特許請求の範囲】
【請求項１】
使用周波数が４００ＭＨｚ以上でそれぞれ異なる２つのアンテナが前記使用周波数の低い方の波長より短い距離で配置されたアンテナ構造について、一方の前記アンテナに接続された伝送線路の他方の前記アンテナの前記使用周波数の信号が侵入できる部分の長さを変えることによって、一方の前記アンテナに対する前記伝送線路の特性インピーダンスを変化させることなく他方の前記アンテナの利得を調整することを特徴とするアンテナ構造の利得調整方法。
【請求項２】
前記伝送線路の前記部分の長さを変えることとともに、または長さを変えることに代えて、前記伝送線路の前記部分にリアクタンス素子を入れることを特徴とする請求項１記載のアンテナ構造の利得調整方法。
【請求項３】
前記リアクタンス素子がインダクタおよびキャパシタであり、その一方を前記伝送線路の前記部分に直列に、他方を並列に入れることを特徴とする請求項２記載のアンテナ構造の利得調整方法。
【請求項４】
使用周波数が４００ＭＨｚ以上でそれぞれ異なる２つのアンテナが前記使用周波数の低い方の波長より短い距離で配置され、一方の前記アンテナに接続された伝送線路の他方の前記アンテナの前記使用周波数の信号が侵入できる部分の長さを変えることによって、一方の前記アンテナに対する前記伝送線路の特性インピーダンスを変化させることなく他方の前記アンテナの利得が調整されていることを特徴とするアンテナ構造。
【請求項５】
前記伝送線路の前記部分の長さを変えることとともに、または長さを変えることに代えて、前記伝送線路の前記部分にリアクタンス素子が入れられていることを特徴とする請求項４記載のアンテナ構造。
【請求項６】
前記リアクタンス素子がインダクタおよびキャパシタであり、その一方が前記伝送線路の前記部分に直列に、他方が並列に入れられていることを特徴とする請求項５記載のアンテナ構造。
【請求項７】
４００ＭＨｚ以上でそれぞれ異なる２つの使用周波数により通信を行なう、請求項４乃至請求項６のいずれかに記載のアンテナ構造を備えたことを特徴とする通信装置。
【発明の詳細な説明】
【０００１】
【発明の属する技術分野】
本発明は、使用周波数が異なる２つのアンテナが実装される移動体通信機器等の通信装置に用いられるアンテナ構造におけるアンテナの利得の調整方法およびその調整方法を行なうのに適したアンテナ構造ならびにそのアンテナ構造を備えた通信装置に関する。
【０００２】
【従来の技術】
近年、携帯電話等の移動体通信装置においては、その急速な普及に伴って多機能な物が求められるようになり、１つの通信装置で異なる２つの周波数帯域の信号を使用する物が製品化されるようになってきた。
【０００３】
例えば、そのような通信装置としては、８００ＭＨｚ帯を使用するＰＤＣ（Ｐｅｒｓｏｎａｌ　Ｄｉｇｉｔａｌ　Ｃｅｌｌｕｌａｒ）と１．９ＧＨｚ帯を使用するＰＨＳ（Ｐｅｒｓｏｎａｌ　ＨａｎｄｙｐｈｏｎｅＳｙｓｔｅｍ）とを複合した通信装置や、９００ＭＨｚ帯を使用するＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）と１．８ＧＨｚ帯を使用するＤＣＳ（Ｄｉｇｉｔａｌ　Ｃｏｍｍｕｎｉｃａｔｉｏｎ　Ｓｙｓｔｅｍ）とを複合した通信装置、８００ＭＨｚ帯を使用するＡＭＰＳ（Ａｄｖａｎｃｅｄ　Ｍｏｂｉｌｅ　Ｐｈｏｎｅ　Ｓｅｒｖｉｃｅ）と１．９ＧＨｚ帯を使用するＰＣＳ（Ｐｅｒｓｏｎａｌ　Ｃｏｍｍｕｎｉｃａｔｉｏｎ　Ｓｅｒｖｉｃｅ）とを複合した通信装置等がある。最近は、移動体通信装置に位置情報を提供するサービスである、１．５７５ＧＨｚを使用するＧＰＳ（Ｇｌｏｂａｌ　Ｐｏｓｉｔｉｏｎｉｎｇ　Ｓｙｓｔｅｍ）を、例えばＰＣＳと複合した通信装置等も製品化されるようになってきた。
【０００４】
このような２つの異なる使用周波数を利用する通信装置においては、異なる２つの使用周波数の信号を送受するために、通常、それぞれの使用周波数に対応した２つのアンテナが組み合わされて使用される。
【０００５】
【発明が解決しようとする課題】
しかしながら、２つのアンテナを組み合わせて使用すると、これらアンテナの配置やアンテナに接続される回路の影響によって、それぞれのアンテナの利得や指向特性、帯域幅等のアンテナ特性が影響されてしまうという問題が発生するので、アンテナの配置やアンテナに接続される回路を最適化する必要があった。
【０００６】
そのような従来の調整方法を、図５に示す移動体通信装置の概略構成図を使って説明する。
【０００７】
図５に示す移動体通信装置には、アンテナ５１に加えてアンテナ５１とは異なる使用周波数のアンテナ５２が設けられている。
【０００８】
アンテナ５２は、電磁波を放射あるいは受信するが、この放射あるいは受信された電磁波は、アンテナ５２に近接する導体部がある場合にはその導体部にも高周波電流を誘起する性質がある。従って、アンテナ５２に近接して導体部であるアンテナ５１を備えた移動体通信装置の場合は、そのアンテナ５１にも高周波電流を誘起することとなる。
【０００９】
ここでアンテナ５１に誘起された高周波電流は、アンテナ５１に接続された整合回路５３と伝送線路６０を経て、バンドパスフィルタ５７の方へ流れる。バンドパスフィルタ５７は、アンテナ５１の使用周波数の高周波電流を通過させるが、アンテナ５２の使用周波数の高周波電流はブロックして反射してしまう。そのため、反射された高周波電流はアンテナ５１へ還流して再びアンテナ５１より電磁波として再放射され、この再放射された電磁波はアンテナ５２に高周波電流を誘起してしまう。
【００１０】
このアンテナ５１を経由してアンテナ５２に誘起された高周波電流は、アンテナ５２に対して元々の電磁波による高周波電流と異なった経路で到着するために、その元々の高周波電流と位相が異なっている。この位相の異なる高周波電流とアンテナ５２の元々の高周波電流とが重畳されることにより、アンテナ５２の元々の高周波電流を乱し、その結果、アンテナ５２の利得や指向特性、帯域幅等のアンテナ特性は、アンテナ５１が無い場合に比して劣化してしまう。
【００１１】
このようなアンテナ５１によるアンテナ５２のアンテナ特性への影響を小さくするために、アンテナ５２の形状を種々変更して調整する方法、アンテナ５２に繋がる整合回路５４の回路定数を種々変更して調整する方法、アンテナ５１の形状を種々変更して調整する方法、アンテナ５１に繋がる整合回路５３を種々変更して調整する方法、およびこれらを組み合わせて用いる調整方法等が行なわれていた。
【００１２】
しかしながら、アンテナ５２の形状やそれに繋がる整合回路５４を変更した場合は、そのアンテナ損失をアンテナ５１が無い状態まで改善するのが困難であることが経験的に知られている。また、アンテナ５１の形状やそれに繋がる整合回路５３を変更する場合は、一旦設計を終えたアンテナ５１の固有の特性に影響を与えないようにその変更を行うことを必要とする。更にアンテナ５１の変更によってアンテナ５２への影響が生じてしまう場合は、アンテナ５２も設計変更しなければならなくなるし、且つそのアンテナ５２の変更はアンテナ５１の特性に影響を与えないように行う必要がある。このようにアンテナ５１の形状やそれに繋がる整合回路５３の設計変更は複雑になるという問題があった。
【００１３】
特に、近年のアンテナ設計においては、利得、指向性、帯域幅の他にＳＡＲ（Ｓｐｅｃｉｆｉｃ　Ａｂｓｏｒｐｔｉｏｎ　Ｒａｔｅ：人体の特定の部位に吸収される単位時間・単位質量当たりの電力）、ＥＩＲＰ（Ｅｑｕｉｖａｌｅｎｔ　Ｉｓｏｔｒｏｐｉｃａｌｌｙ　Ｒａｄｉａｔｅｄ　Ｐｏｗｅｒ：　等価等方放射電力）、小型化など、考慮すべき項目が増していることから、より簡単な方法で調整を行うことが求められている。
【００１４】
本発明は上記従来の技術における問題点に鑑みてなされたものであり、その目的は一方のアンテナの利得、帯域幅、指向性等の性能を変化させることなく他方のアンテナの利得、帯域幅、指向性等の性能を調整できるようにする調整方法とアンテナ構造を提供し、設計時間を短縮することにある。
【００１５】
【課題を解決するための手段】
本発明のアンテナ構造の利得調整方法は、使用周波数が４００ＭＨｚ以上でそれぞれ異なる２つのアンテナが前記使用周波数の低い方の波長より短い距離で配置されたアンテナ構造について、一方の前記アンテナに接続された伝送線路の他方の前記アンテナの前記使用周波数の信号が侵入できる部分の長さを変えることによって、一方の前記アンテナに対する前記伝送線路の特性インピーダンスを変化させることなく他方の前記アンテナの利得を調整することを特徴とするものである。
【００１６】
また本発明のアンテナ構造の利得調整方法は、上記構成において、前記伝送線路の前記部分の長さを変えるとともに、または長さを変えることに代えて、前記伝送線路の前記部分にリアクタンス素子を入れることを特徴とするものである。
【００１７】
また本発明のアンテナ構造の利得調整方法は、上記構成において、前記リアクタンス素子がインダクタおよびキャパシタであり、その一方を前記伝送線路の前記部分に直列に、他方を並列に入れることを特徴とするものである。
【００１８】
また本発明のアンテナ構造は、使用周波数が４００ＭＨｚ以上でそれぞれ異なる２つのアンテナが前記使用周波数の低い方の波長より短い距離で配置され、一方の前記アンテナに接続された伝送線路の他方の前記アンテナの前記使用周波数の信号が侵入できる部分の長さを変えることによって、一方の前記アンテナに対する前記伝送線路の特性インピーダンスを変化させることなく他方の前記アンテナの利得が調整されていることを特徴とするものである。
【００１９】
また本発明のアンテナ構造は、上記構成において、前記伝送線路の前記部分の長さを変えることとともに、または長さを変えることに代えて、前記伝送線路の前記部分にリアクタンス素子が入れられていることを特徴とするものである。
【００２０】
また本発明のアンテナ構造は、上記構成において、前記リアクタンス素子がインダクタおよびキャパシタであり、その一方が前記伝送線路の前記部分に直列に、他方が並列に入れられていることを特徴とするものである。
【００２１】
また本発明の通信装置は、４００ＭＨｚ以上でそれぞれ異なる２つの使用周波数により通信を行なう、上記構成のいずれかのアンテナ構造を備えたことを特徴とするものである。
【００２２】
【発明の実施の形態】
以下、本発明について図面を参照しつつ詳細に説明する。
【００２３】
図１は本発明の構成を示す概念図である。図１において１は一方のアンテナであり、２は他方のアンテナ、３は一方のアンテナ１に接続された整合回路、４は他方のアンテナ２に接続された整合回路、７は一方のアンテナ１から整合回路３を介して接続されたバンドパスフィルタ、８は他方のアンテナ２から整合回路４を介して接続されたバンドパスフィルタ、１０は一方のアンテナ１から整合回路３を介してバンドパスフィルタ７に接続される伝送線路、１１は他方のアンテナ２から整合回路４を介してバンドパスフィルタ８に接続される伝送線路であり、９はこれらを搭載する実装基板である。
【００２４】
実装基板９に搭載された一方のアンテナ１と他方のアンテナ２は４００ＭＨｚ以上のそれぞれ異なる使用周波数で動作し、そのうち低い方の周波数の信号の波長より短い距離で配置されている。前記説明のごとく、他方のアンテナ２より放射された電磁波は、一方のアンテナ１と整合回路３を経て伝送線路１０を伝わり、バンドパスフィルタ７の部分まで侵入する。図１中に記載のＬ１は一方のアンテナ１に接続された伝送線路の他方のアンテナ２の使用周波数の信号が侵入できる部分の長さ、Ｌ２は他方のアンテナ２に接続された伝送線路の一方のアンテナ１の使用周波数の信号が侵入できる部分の長さを示している。
【００２５】
バンドパスフィルタ７は一方のアンテナ１の使用周波数の高周波電流を通過させるが、他方のアンテナ２の使用周波数の高周波電流はブロックして反射してしまう。そして他方のアンテナ２より一方のアンテナ１に侵入してきた入射波と、バンドパスフィルタ７部分で反射された反射波とは、バンドパスフィルタ７と一方のアンテナ１の間で定在波を形成する。この定在波の一方のアンテナ１が位置する場所における定在波の位相により、他方のアンテナ２の使用周波数の電磁波に対する一方のアンテナ１の位置から基板９方向を見たときの等価的なリアクタンス値が決まることとなる。
【００２６】
これに対して、伝送線路１０の長さを変えることによってＬ１を変化させると、一方のアンテナ１の位置における定在波の位相はずれることになり、一方のアンテナ１が位置する場所から基板９方向を見たときの他方のアンテナ２の使用周波数の電磁波に対する等価的なリアクタンス値もこれに応じて変化することとなる。このようにして、一方のアンテナ１が位置する場所の他方のアンテナ２の使用周波数に対する等価的なリアクタンス値を変えることによって、他方のアンテナ２の使用周波数の電磁波に対する整合を図ることができる。
【００２７】
一方で、一方のアンテナ１の使用周波数に対する伝送線路１０の特性インピーダンスは、伝送線路の断面形状によって決定され、長さには影響されないので、変化しない。さらに一方のアンテナ１、整合回路３、バンドパスフィルタ７は一方のアンテナ１の使用周波数に対する伝送線路１０の特性インピーダンスと整合するように設計されているので、一方のアンテナ１の使用周波数の高周波電流はこれらにより反射されることはなく、一方のアンテナ１とバンドパスフィルタ７の間で一方のアンテナ１の使用周波数の定在波が形成されることもない。従って一方のアンテナ１の使用周波数に対する一方のアンテナ１の位置する場所の等価的リアクタンスは、他方のアンテナ２の使用周波数に対する等価的リアクタンスのように変化することもない。
【００２８】
ここで、伝送線路１０の長さを変える代わりに、その断面形状を変化させることによって伝送線路１０の特性インピーダンスを変化させ、他方のアンテナ２の使用周波数の定在波の位相を変化させて他方のアンテナ２の使用周波数の電磁波に対する整合を図ることも可能であるが、この場合は一方のアンテナ１、整合回路３、バンドパスフィルタ７各々と一方のアンテナ１の使用周波数に対する伝送線路１０の特性インピーダンスが整合しなくなるので、一方のアンテナ１の使用周波数に対する定在波を形成することとなり、一方のアンテナ１の動作に影響を与えてしまう結果となる。
【００２９】
本発明は、このように一方のアンテナ１に接続された伝送線路１０の他方のアンテナ２の使用周波数の信号が侵入できる部分の長さＬ１を変えることによって、一方のアンテナ１に対する伝送線路１０の特性インピーダンスを変化させることなく他方のアンテナ２の利得の調整を図るものである。
【００３０】
また、他方のアンテナ２の指向性、帯域幅、ＳＡＲ、ＥＩＲＰ等のアンテナ特性の一つに対し、上記と同じ方法によって調整を図ることもできる。但し、この場合は他方のアンテナ２の利得は他の特性の調整に応じて適当なレベルに調整されることとなる。
【００３１】
以上のように、本発明においては、一方のアンテナの利得、帯域幅、指向性等の性能を変化させることなく他方のアンテナの利得、帯域幅、指向性等の性能を調整できるので、アンテナ構造の設計時間を短縮することができる。
【００３２】
長さを調整する伝送線路１０の形状は、直線でも良いし、ミアンダ（ｍｅａｎｄｅｒ）形など線路を折畳んだ形状、スパイラル形状等にしても良い。
【００３３】
次に、図２は、本発明の形態の他の構成を示す概念図である。図２において５は一方のアンテナ１とバンドパスフィルタ７との間で伝送線路１０に接続されたリアクタンス素子であり、６は他方のアンテナ２とバンドパスフィルタ８との間で伝送線路１１に接続されたリアクタンス素子である。
【００３４】
図１に示す構成においては、一方のアンテナ１部分の他方のアンテナ２の使用周波数に対する等価的リアクタンス値を変化させるために伝送線路１０の長さを変えて、他方のアンテナ２の使用周波数の信号が侵入できる部分の長さＬ１を変化させ、一方のアンテナ１部分の定在波の位相を変化させたが、一般にリアクタンス素子は伝送線路に入れることにより定在波の位相を変化させる機能を有するので、伝送線路１０の長さを調整してリアクタンス値を変化させることに代えて伝送線路１０にリアクタンス素子５を挿入し、一方のアンテナ１部分のリアクタンス値を所望の値に変化させることができる。
【００３５】
また、リアクタンス値を変化させるためには伝送線路１０の長さを変えることとともにリアクタンス素子５、６を入れることによっても良い。
【００３６】
ここで、インダクタンスとキャパシタンスを挿入したことによるリアクタンスの値は、インダクタンスをキャパシタンスで除算したものの平方根が伝送線路１０の特性インピーダンスに等しくなるように選ぶことが望ましい。こうすることで伝送線路１０の特性インピーダンスと整合を図ることができ、伝送線路１０において信号の不要な反射を抑えつつリアクタンス素子を挿入することができる。例えば、図３（ｂ）のような構成では、容量Ｃ１１とＣ１２を同じ容量とすれば、Ｌ１の半分のインダクタンスをＣ１１のキャパシタンスで除算したものの平方根がこの構成のインピーダンスとなり、この値を伝送線路の特性インピーダンスに等しくなるように選ぶことが望ましい。
【００３７】
リアクタンス素子５、６は、図３（ａ）や図４（ｂ）のようにインダクタとキャパシタを適当に組み合わせた物や、図３（ｂ）や図４（ｂ）のようにインダクタとキャパシタをπ型あるいはＴ型あるいはその回路を連続して構成した物でも良い。π型あるいはＴ型のように左右対称の回路構成のものは、特性インピーダンスの整合の精度を上げやすいという特長がある。
【００３８】
又は、マイクロストリップ等の伝送線路の途中に括れた細い部分を設けたり、太い部分を設けたり、一端が開放または短絡されたＴ字分岐の伝送線路を入れる等の方法によってリアクタンス素子を構成しても良い。
【００３９】
リアクタンス素子を挿入する方法によれば、基板上の伝送線路の長さを調整する前記方法では、大きなレイアウト変更を伴う場合があるのに対し、小さなチップ部品である数個のリアクタンス素子を使うことで実現できるので、このようなレイアウト変更を避け易く、かつ、小さなチップ部品で実現できるので小さなスペースで実現できるという特長がある。
【００４０】
また、リアクタンス素子を挿入する位置は一方のアンテナ１からバンドパスフィルタ７に到るまでの伝送線路１０上の適当な位置に接続すれば良く、整合回路３と一体化しても良い。
【００４１】
図６はリアクタンス素子を入れる構成の一例を示すものである。
【００４２】
この例では１９００ＭＨｚ帯（ＰＣＳ）と８００ＭＨｚ帯（ＡＭＰＳ）の共用のホイップアンテナを有する携帯電話に、１５７５ＭＨｚを使用するＧＰＳ用のチップアンテナを実装した。
【００４３】
図６において、６１はホイップアンテナであり前記説明の一方のアンテナ１に相当する。６２はＧＰＳ用小型表面実装タイプのアンテナであり前記説明の他方のアンテナ２に相当する。
【００４４】
本例では、ホイップアンテナ６１に整合回路６３が接続され、さらにダイプレクサ７２が接続され、さらにデュプレクサ６７が接続されている。ダイプレクサは１９００ＭＨｚ帯（ＰＣＳ）と８００ＭＨｚ帯（ＡＭＰＳ）の信号を分離してそれぞれの出力端に振り向ける素子である。又はその逆に、２つの信号を合波してアンテナ側の出力端へ振り向ける素子である。また、デュプレクサは１９００ＭＨｚ帯（ＰＣＳ）又は８００ＭＨｚ帯（ＡＭＰＳ）の信号のみを通過させるバンドパスフィルタとして動作する素子である。
【００４５】
ホイップアンテナ６１より入ってきたＧＰＳの１５７５ＭＨｚの信号は、ダイプレクサ７２で１９００ＭＨｚ帯（ＰＣＳ）側に分離され、デュプレクサ６７の方へ流れてここで反射され、前記説明のごとくＧＰＳアンテナ６２の特性に影響を与える。
【００４６】
そこで、本例においては、ダイプレクサ７２とデュプレクサ６７の間のマイクロストリップ線路で形成された伝送線路にリアクタンス回路、すなわち直列に５ｐＦのキャパシタ、グランドにシャントに１２ｎＨのインダクタを挿入した。このリアクタンス素子を入れることにより、ＧＰＳアンテナ６２の利得が単体で使用したときと同程度になることを確認した。また、本例において、ダイプレクサ７２とデュプレクサ６７の間にこのリアクタンス素子を入れたことにより、１９００ＭＨｚ帯（ＰＣＳ）側のアンテナ６１の利得、反射損失、指向性は変わらないことを確認した。
【００４７】
上記の方法は、一方のアンテナから見た他方のアンテナの調整においても用いることができる。また、使用周波数の異なる複数本のアンテナを備えた物の場合において、任意の２本のアンテナについて調整する場合にも用いることができる。
【００４８】
また、アンテナは４００ＭＨｚ以上で使用するホイップアンテナの他、小型表面実装タイプのアンテナ、内蔵板状逆Ｆアンテナ等の何れのアンテナでも良く、同じ方法を用いることができる。
【００４９】
また、本発明の通信装置によれば、４００ＭＨｚ以上でそれぞれ異なる２つの使用周波数で動作し、低い方の波長より短い距離で配置された２つのアンテナを備えた通信装置であって、以上のような本発明のアンテナ構造を備えていることによって、それぞれのアンテナの利得をより簡単に調整することができ、さらに各々のアンテナの利得、帯域幅、指向性等の性能を簡単に調整することもでき、２本のアンテナ特性が良好な通信装置を得ることができる。また、本発明の通信装置によれば、以上のような本発明のアンテナ構造を備えた通信装置によれば、一方のアンテナの利得、帯域幅、指向性等の性能を変化させることなく他方のアンテナの利得、帯域幅、指向性等の性能を調整できるので、通信装置のアンテナ構造の設計時間を短縮することができる。
【００５０】
【発明の効果】
以上説明したように、本発明のアンテナ構造の利得調整方法によれば、一方のアンテナに接続された伝送線路の他方のアンテナの使用周波数の信号が侵入できる部分の長さを変えることによって、一方のアンテナに対する伝送線路の特性インピーダンスを変化させることなく他方のアンテナの利得を調整することができることにより、アンテナの調整をより簡単な方法で行なうことができ、設計時間を短縮することができる。
【００５１】
また、本発明のアンテナ構造の利得調整方法によれば、一方のアンテナの伝送線路の長さを変えるとともに、または長さを変えることに代えて、一方の伝送線路にリアクタンス素子を入れることにより、基板上のレイアウト変更を避けつつアンテナの調整をより簡単な方法で行なうことができ、設計時間を短縮することができる。
【００５２】
また、本発明のアンテナ構造の調整方法によれば、リアクタンス素子がインダクタおよびキャパシタであり、その一方を伝送線路に直列に、他方を並列に入れることにより、小さなチップ部品である数個のリアクタンス素子で実現できるので、基板上のレイアウト変更を避けつつアンテナの調整をより簡単な方法で行なうことができる。
【００５３】
また、本発明のアンテナ構造によれば、一方のアンテナに接続された伝送線路の他方のアンテナの使用周波数の信号が侵入できる部分の長さを変えることによって、一方のアンテナに対する伝送線路の特性インピーダンスを変化させることなく他方のアンテナの利得を調整することができることにより、アンテナの調整をより簡単に行なえ、２本のアンテナ特性が良好な通信装置を得ることができる。
【００５４】
また、本発明のアンテナ構造によれば、一方のアンテナの伝送線路の長さを変えるとともに、または長さを変えることに代えて、一方の伝送線路にリアクタンス素子を入れることにより、基板上のレイアウト変更を避けつつアンテナの調整をより簡単に行なえ、２本のアンテナ特性が良好な通信装置を得ることができる。
【００５５】
また、本発明のアンテナ構造によれば、リアクタンス素子がインダクタおよびキャパシタであり、その一方を伝送線路に直列に、他方を並列に入れることにより、小さなチップ部品である数個のリアクタンス素子で実現できるので、基板上のレイアウト変更を避けつつアンテナの調整をより簡単な方法で行なうことができ、小型で２本のアンテナ特性が良好な通信装置を得ることができる。
【００５６】
また、本発明の通信装置によれば、以上のような本発明のアンテナ構造を備えていることから、アンテナ調整を簡単に行なうことができ、設計時間を短縮して良好な通信装置を得ることができる。
【図面の簡単な説明】
【図１】本発明のアンテナ構造の実施の形態の一例を示す概念図である。
【図２】本発明のアンテナ構造の実施の形態の他の例を示す概念図である。
【図３】（ａ）および（ｂ）は、それぞれ本発明のアンテナ構造に用いられるリアクタンス回路の例を示す回路図である。
【図４】（ａ）および（ｂ）は、それぞれ本発明のアンテナ構造に用いられるリアクタンス回路の例を示す回路図である。
【図５】従来の通信装置の概略構成を示す概念図である。
【図６】本発明のアンテナ構造の実施の形態の他の例を示す概念図である。
【符号の説明】
１：一方のアンテナ
２：他方のアンテナ
３：一方のアンテナに接続された整合回路
４：他方のアンテナに接続された整合回路
５：一方のアンテナに接続されたリアクタンス素子
６：他方のアンテナに接続されたリアクタンス素子
７：一方のアンテナに接続されたバンドパスフィルタ
８：他方のアンテナに接続されたバンドパスフィルタ
９：実装基板
１０：アンテナ１に接続された伝送線路
１１：アンテナ２に接続された伝送線路
Ｌ１：一方のアンテナに接続された伝送線路の他方のアンテナの使用周波数の信号が侵入できる部分の長さ
Ｌ２：他方のアンテナに接続された伝送線路の一方のアンテナの使用周波数の信号が侵入できる部分の長さ
【図１】
2004096303.tif 000003
【図２】
2004096303.tif 000004
【図３】
2004096303.tif 000005
【図４】
2004096303.tif 000006
【図５】
2004096303.tif 000007
【図６】
2004096303.tif 000008